(57)【要約】【課題】個々の装置による圧縮と伸張の繰り返しによる画質への影響を抑止する記録再生装置の記録再生方法及び表示装置の画像処理方法を提供する。【解決手段】実施形態において、記録再生装置は、検出部と、取得部と、変換処理部と、出力画像処理部とを具備する。検出部は、表示装置が接続したことを双方向インタフェースにより検出する。取得部は、接続した表示装置に固有の情報を双方向インタフェースにより取得する。変換処理部は、入力画像信号のクロマフォーマットを変換する際に、前記取得部が取得した固有の情報に従う。出力画像処理部は、変換処理部が処理した画像信号を双方向インタフェースに出力する。【選択図】図１
2013051586.tif 000002
【特許請求の範囲】
【請求項１】
表示装置が接続したことを双方向インタフェースにより検出する検出部と、
接続した表示装置に固有の情報を双方向インタフェースにより取得する取得部と、
入力画像信号のクロマフォーマットを変換する際に、前記取得部が取得した固有の情報に従う変換処理部と、
変換処理部が処理した画像信号を双方向インタフェースに出力する出力画像処理部と、
を具備する電子機器。
【請求項２】
前記双方向インタフェースは、ＨＤＭＩ（High-definition Digital Media Interface）−ＣＥＣ（Consumer Electronics Control）規格に準拠する請求項１記載の電子機器。
【請求項３】
前記双方向インタフェースは、接続した表示装置が含むＥＤＩＤ（Extended Display Identification Data）を読み取るとともにＣＥＣ規格に準拠した相互通信を行う請求項２記載の電子機器。
【請求項４】
前記取得部が取得する固有の情報は、ベンダー情報を含む請求項３記載の電子機器。
【請求項５】
前記変換処理部は、４：２：２信号を４：４：４信号に変換する請求項１記載の電子機器。
【請求項６】
前記双方向インタフェースは、ＨＤＭＩ（High-definition Digital Media Interface）−ＣＥＣ（Consumer Electronics Control）規格に準拠する請求項５記載の電子機器。
【請求項７】
前記双方向インタフェースは、接続した表示装置が含むＥＤＩＤ（Extended Display Identification Data）を読み取るとともにＣＥＣ規格に準拠した相互通信を行う請求項６記載の電子機器。
【請求項８】
前記変換処理部は、４：２：２信号を４：４：４信号に変換する請求項４の電子機器。
【請求項９】
表示装置が接続したことを双方向インタフェースにより検出し、
接続した表示装置に固有の情報を双方向インタフェースにより取得し、
入力画像信号のクロマフォーマットを変換処理する際に、取得した固有の情報に従い、同一成分を２回用いる変換処理を実行し、
変換処理した画像信号を双方向インタフェースに出力する
記録再生装置の記録再生方法。
【請求項１０】
固有の情報は、ベンダー情報を含む請求項９記載の記録再生方法。
【請求項１１】
同一成分を２回用いる変換処理は、取得したベンダー情報が同一ベンダーであることを示す場合に実行する請求項１０記載の記録再生方法。
【請求項１２】
画像信号供給元が双方向インタフェースにより接続された場合、画像信号供給元と同一の固有情報を画像信号供給元が読み取り可能に、固有情報を保持する情報保持部と、
画像信号供給元から双方向インタフェースを通じて供給される画像信号を、水平方向の色情報を単純な間引き処理にて１／２に圧縮する入力画像処理部と、
前記入力画像処理部の画像出力を、表示装置に供給する出力画像処理部と、
を具備する電子機器。
【請求項１３】
前記双方向インタフェースは、ＨＤＭＩ（High-definition Digital Media Interface）−ＣＥＣ（Consumer Electronics Control）規格に準拠する請求項１２記載の電子機器。
【請求項１４】
前記双方向インタフェースは、画像信号供給元による前記情報保持部からの固有情報（ＥＤＩＤ（Extended Display Identification Data））の読み取るとともにＣＥＣ規格に準拠した相互通信を行う請求項１３記載の電子機器。
【請求項１５】
前記出力画像処理部は、４：２：２信号を４：４：４信号に変換する請求項１２記載の電子機器。
【発明の詳細な説明】
【技術分野】
【０００１】
本発明の実施の形態は、放送により、あるいはネットワークを経由して供給される番組の記録再生や、ブルーレイディスクの画像再生機能を具備する記録再生装置の記録再生方法及び表示装置の画像処理方法に関する。
【背景技術】
【０００２】
放送局（放送事業者）あるいは配信事業者が供給する番組またはコンテンツを受信して再生する装置としては、表示装置（ディスプレイ）が一体に用意されるテレビジョン受信装置と、番組（コンテンツ）の録画と再生が可能な記録再生装置（レコーダ）と、が広く利用されている。
【先行技術文献】
【特許文献】
【０００３】
【特許文献１】特開２０１０−８１５１０号公報
【発明の概要】
【発明が解決しようとする課題】
【０００４】
テレビジョン受信装置及び記録再生装置は、単独での動作（使用）を前提とするため、それぞれの装置が、画像信号を圧縮あるいは伸張する圧縮／伸張部や、再生出力（映像）の画質を高める画像処理部等を、含む。
【０００５】
反面、個々の装置から外部へ出力する画像信号は、他の装置の画像処理部の特性が不明であることにより、多くの装置が最小限備えることが決められている特性を想定した一定条件の変換（処理）を伴う。
【０００６】
そのため、装置間で出入力する画像信号においては、前段の装置による圧縮処理（一定条件の変換処理）時に画像信号の一部が失われてしまうので、後段の装置における伸張処理（一定条件の変換処理）によって復元することは、困難である。
【０００７】
本発明は、個々の装置が含む画像処理部等において、圧縮と伸張が繰り返えされることによる画質への影響を抑止する記録再生装置の記録再生方法及び表示装置の画像処理方法を提供するものである。
【課題を解決するための手段】
【０００８】
実施形態によれば、記録再生装置は、検出部と、取得部と、変換処理部と、出力画像処理部とを具備する。検出部は、表示装置が接続したことを双方向インタフェースにより検出する。取得部は、接続した表示装置に固有の情報を双方向インタフェースにより取得する。変換処理部は、入力画像信号のクロマフォーマットを変換する際に、前記取得部が取得した固有の情報に従う。出力画像処理部は、変換処理部が処理した画像信号を双方向インタフェースに出力する。
【図面の簡単な説明】
【０００９】
【図１】実施形態を適用する記録再生装置と表示装置の接続の一例を示す図。
【図２】実施形態を適用するクロマフォーマットの変換の一例を示す図。
【図３】実施形態を適用するクロマフォーマットの変換の一例を示す図。
【図４】実施形態を適用する記録再生装置と表示装置との間の情報の受け渡しの一例を示す図。
【図５】実施形態を適用する記録再生装置と表示装置との間の情報の受け渡しの一例を示す図。
【図６】実施形態を適用する記録再生装置の一例を示す図。
【図７】実施形態を適用する映像再生装置の一例を示す図。
【発明を実施するための形態】
【００１０】
以下、実施の形態について図面を参照して説明する。
【００１１】
図１は、実施形態を適用する記録再生装置とその記録再生装置に接続する映像表示装置の一例を示す。
【００１２】
記録再生装置（以下、レコーダ装置と呼称する）１０１は、双方向通信インタフェース（ケーブル）、例えばＨＤＭＩ（High-definition Digital Media Interface）規格に準拠したケーブル（以下、ＨＤＭＩケーブルと呼称する）２０１により、表示装置、例えばテレビジョン受信装置（以下、テレビ装置と呼称する）３０１と接続する。
【００１３】
レコーダ装置（ソース機器と称する場合がある）１０１は、テレビ装置３０１に、映像信号、音声信号及び制御信号を出力するとともにＨＤＭＩケーブル２０１を通じてテレビ装置３０１側から取得する情報を受け付けるＨＤＭＩインタフェース部１１１を、含む。
【００１４】
テレビ装置（シンク機器と称する場合がある）３０１は、レコーダ装置１０１が出力する映像信号、音声信号及び制御信号を、ＨＤＭＩケーブル２０１を通じて受け付けるＨＤＭＩインタフェース部３１１を、含む。
【００１５】
ＨＤＭＩケーブル２０１は、バージョン１．２において制定されたＣＥＣ（Consumer Electronics Control）規格（以下、単にＨＤＭＩ−ＣＥＣと呼称する）に準拠している。なお、ＨＤＭＩケーブル（ＨＤＭＩ−ＣＥＣ）２０１により接続されたレコーダ装置１０１とテレビ装置３０１においては、レコーダ装置１０１側のＨＤＭＩインタフェース部１１１において、テレビ装置３０１側のＨＤＭＩインタフェース部３１１が含むＥＤＩＤ（Extended Display Identification Data）を読み取るとともにＣＥＣ規格に準拠した相互通信によって、接続相手先（テレビ装置３０１）が提供できる機能を取得することで、レコーダ装置１０１とテレビ装置３０１との間の連動機能を提供できる。
【００１６】
また、上述のレコーダ装置１０１及びテレビ装置３０１は、所定の規格、例えばビデオ（Video、動画）については、例えばＭＰＥＧ（Moving Picture Experts Group）−１、−２、−４（Ｈ．２６４／ＡＶＣ）、オーディオ（Audio、音声／音楽）については、例えばＭＰ３（MPEG Audio layer-3）、ＡＣ３（Audio Code number 3）、リニアＰＣＭ（Pulse Coded Module）、静止画については、例えばＪＰＥＧ（Joint Photographic Experts Group）、等に従って符号化されたデジタル情報（番組）を処理することができるものとする。
【００１７】
図１に示すレコーダ装置１０１はまた、映像（ビデオ）及び音声（オーディオ）を再生する、例えばプレーヤ装置やゲーム装置、あるいはビデオカメラ等であってもよい。もちろん、パーソナルコンピュータ（ＰＣ）、ＰＣに接続可能なディスクドライブ装置、あるいは自動車等に搭載またはユーザが携帯することのできるナビゲーション装置であってもよい。
【００１８】
一方、テレビ装置３０１は、例えばモニタ装置（ディスプレイ）とＳＴＢ（Set Top Box、広義には外部チューナ装置と解され、狭義にはコンテンツ配信事業者が設置する分岐器等を示す）が接続されたような、放送局（放送事業者）あるいはコンテンツ配信事業者が供給する番組またはコンテンツを受信して再生する装置であってもよい。
【００１９】
なお、以下に説明するさまざまな要素や構成は、ハードウエアで実現するものであってもよいし、マイクロコンピュータ（処理装置，ＣＰＵ）、等を用いてソフトウエアで実現するものであってもよい。
【００２０】
ＨＤＭＩ−ＣＥＣ（ＨＤＭＩケーブル）２０１は、信号線の配列等の説明は省略するがＣＥＣ規格に準拠するＣＥＣ−ラインを含み、相互に接続する機器において、上述の連動機能、例えばユーザがレコーダ装置１０１に対してコンテンツ（番組またはプログラム）すなわち映像信号及び音声信号を再生させる操作をした場合に、テレビ装置３０１を起動し、レコーダ装置１０１が接続されている入力に切り替えを行うワンタッチプレイ（One Touch Play）や、例えばユーザがテレビ装置３０１側のリモコン（リモートコントロール端末）を操作して出力させた制御コマンドを、レコーダ装置１０１に伝えるパススルー（Remote Control Pass Through）等を、実現できる。
【００２１】
レコーダ装置１０１はまた、第１の記録再生モジュール１２１、第２の記録再生モジュール１３１、信号処理モジュール１４１及び詳述しない制御ブロック（コントローラ）を含む。
【００２２】
なお、信号処理モジュール１４１の出力端が上述したＨＤＭＩインタフェース部１１１と接続される。また、信号処理モジュール１４１の入力端に、第２のＨＤＭＩインタフェース部１５１が接続される。
【００２３】
第２のＨＤＭＩインタフェース部１５１は、第１の記録再生モジュール１２１に設けられるＨＤＭＩインタフェース部１２３と接続するＨＤＭＩインタフェースケーブル１２５あるいは第２の記録再生モジュール１３１に設けられるＨＤＭＩインタフェース部１３３と接続するＨＤＭＩインタフェースケーブル１３５により、上述の第１の記録再生モジュール１２１、及び第２の記録再生モジュール１３１と接続する。なお、第２のＨＤＭＩインタフェース部１５１とＨＤＭＩインタフェースケーブル１２５（第１の記録再生モジュール１２１）及びＨＤＭＩインタフェースケーブル１３５（第２の記録再生モジュール１３１）との接続は、例えばセレクタ１５３による切り替えに従う。また、セレクタ１５３を用いるかわりに、ＨＤＭＩインタフェースケーブル１２５（第１の記録再生モジュール１２１）及びＨＤＭＩインタフェースケーブル１３５（第２の記録再生モジュール１３１）のそれぞれと独立に接続する図示しない２系列のＨＤＭＩインタフェース部を、並列に設けてもよい。
【００２４】
第１の記録再生モジュール１２１は、移動可能な記録媒体、例えば光ディスク（ＤＶＤ（Digital Versatile Disk）規格あるいはブルーレイ（Blu-ray Disk）規格）、もしくはＳＤ（Secure Digital）メモリカードすなわち半導体メモリ等に代表され、レコーダ装置１０１から取り外すことのできる記録媒体に情報（映像及び音声（オーディオ））を記録し、あるいは記録媒体から情報を読み出すことができる。
【００２５】
第２の記録再生モジュール１３１は、例えばＨＤＤ（Hard Disk Drive，大容量記憶装置）に代表され、レコーダ装置１０１と一体に設けられ、情報（映像及び音声（オーディオ））を記録し、あるいは記録媒体から情報を読み出すことができる。
【００２６】
信号処理モジュール１４１は、第２のＨＤＭＩ１５１を通じて入力される入力画像信号について、Ｖｉｄｅｏ  ＲＧＢ／ＹＣｂＣｒ（ＹＰｂＰｒ）変換や４：４：４  →  ４：２：２変換を行う入力側画像処理部１４３、入力側画像処理部１４３からの画像信号にＩＰ変換やスケーリング処理および超解像変換を施す変換処理部１４５、及び変換処理部１４５が出力する出力画像信号に、後段または外部に位置される表示装置による画像表示のための出力処理を行う出力側画像処理部（出力設定部）１４７、を含む。
【００２７】
入力側画像処理部１４３は、第１の記録再生モジュール１２１または第２の記録再生モジュール１３１のいずれかからセレクタ１５３及び第２のＨＤＭＩインタフェース部１５１を経由して入力される画像信号を受けつけ、色差コンポーネント信号（４：２：２）を、変換処理部１４５に入力する。
【００２８】
変換処理部１４５は、入力側画像処理部１４３により、４：２：２変換された映像信号にＩＰ変換やスケーリング処理および超解像変換を施したのち、画像信号のクロマフォーマットの変換、すなわち４：２：２を４：４：４に変換する。変換処理部１４５によるＩＰ変換やスケーリング処理および超解像変換では、メモリを介したデータ演算処理量が増加する。そのため、処理を行う前に入力側画像処理部１４３で４：２：２変換しておくことで画像データ量の削減を行い、演算処理量を軽減させる目的がある。なお、色差コンポーネント信号ＹＣｂＣｒ（４：２：２）とＹＰｂＰｒ（４：４：４）の記載については、「Ｃｂ」及び「Ｐｂ」と「Ｃｒ」及び「Ｐｒ」を、それぞれ同義として、ＹＣｂ（Ｐｂ）Ｃｒ（Ｐｒ）と記載する場合もある。また、ＹＣｂ（Ｐｂ）Ｃｒ（Ｐｒ）（４：２：２）は、一般に人間の目が色の変化よりも明るさの変化に敏感であることに着目し、ＹＣｂ（Ｐｂ）Ｃｒ（Ｐｒ）（４：４：４）に比較して水平画素の色差成分（Ｃｂ（Ｐｂ）Ｃｒ（Ｐｒ））を、１／２に間引く（減らす）ことであり、映像記録において、広く利用されている。なお、ＹＣｂＣｒ（４：２：２）をＳＤ（Standard Definition，１９２０画素×１０８０画素未満）映像信号、ＹＰｂＰｒ（４：４：４）をＨＤ（High Definition，１９２０画素×１０８０画素）映像信号とする区分も広く利用されている。
【００２９】
また、変換処理部１４５は、例えばＩＰ変換処理、解像度変換（超解像処理）あるいはスケーリング処理等を行う。
【００３０】
ＩＰ変換処理は、１０８０ｉと称されるインタレース信号から１０８０ｐと称されるプログレッシブ（ノンインターレース）信号への変換である。
【００３１】
解像度変換（超解像処理）は、例えば複数の中解像度フレームのそれぞれに対してフレーム中の注目画素を含む注目画像領域中の画素値の変化パターンに最も近い複数の注目画像領域に対応する複数の対応点を基準フレームの中から選択し、対応点での輝度の標本値を対応点に対応している注目画素の画素値に設定し、複数の標本値の大きさと複数の対応点の配置とに基づいて、基準フレームの画素数よりも多い画素数の高解像度フレームであって基準フレームに対応する高解像度フレームの画素値を算出すること（特開２００７−３１０８３７号公報記載）により、低解像度の画像信号から本来の画素値を推定して画素を増やす画像処理である。
【００３２】
なお、超解像処理としては、例えば同一フレーム画像内の自己合同位置探索を利用して、中解像度フレームの探索領域の各画素の誤差を比較して最小となる第１の画素位置を算出し、第１の画素位置、及びこの第１の誤差、並びに第１の画素の周辺の第２の画素位置、及びこの第２の誤差に基づいて、探索領域のなかで誤差が最小となる位置を小数精度で算出し、この位置を終点、及び注目画素を始点とする小数精度ベクトルを算出し、この小数精度ベクトルを用いて、探索領域に含まれない画面上の画素を終点とする小数精度ベクトルの外挿ベクトルを算出し、小数精度ベクトル、外挿ベクトル、及び画像信号から取得された画素値に基づいて、画像信号に含まれる画素数よりも多い画素数の高解像度画像の画素値を算出すること（特開２００８−９８８０３号公報記載）も可能である。
【００３３】
また、スケーリング処理は、入力映像（第１の記録再生モジュール１２１または第２の記録再生モジュール１３１からの出力）である１４４０画素×１０８０画素（地上デジタル放送の映像）や７２０画素×４８０画素（ＤＶＤ規格の映像）を、表示装置の表示能力（最大で、現行は１９２０画素×１０８０画素）にあわせる処理を示す。
【００３４】
出力側画像処理部（出力設定部）１４７は、変換処理部１４５において所定の変換処理が施された画像信号を、後段または外部に位置する表示装置による画像表示のための出力処理、例えば外部に接続される他の装置の画像処理部の特性を考慮して、多くの装置が最小限備えることが決められている特性を想定した一定条件の変換（処理）を行う。なお、出力形式は、色差のほかＲＧＢも考慮する必要性からクロマフォーマットについては、４：４：４形式として出力する。
【００３５】
テレビ装置３０１は、ＨＤＭＩ−ＣＥＣ（ＨＤＭＩケーブル）２０１と接続するＨＤＭＩインタフェース部３１１により入力される画像信号（クロマフォーマット４：４：４）を受けつけ、後段の表示装置３５１に映像出力を出力する信号処理モジュール３２１を含む。なお、信号処理モジュール３２１と表示装置３５１との間には、例えばＯＳＤ（On Screen Display、オンスクリーンディスプレイ）処理部や、動画改善回路等、表示装置３５１が画像を表示するために有益な画像処理を施す出力画像処理部３３１を含む。
【００３６】
信号処理モジュール３２１は、入力側画像処理部３２３、変換処理部３２５及び出力側画像処理部（出力設定部）３２７を含む。
【００３７】
入力側画像処理部３２３は、ＨＤＭＩインタフェース部３１１を通じて入力される画像信号（クロマフォーマット４：４：４）を、クロマフォーマット（４：２：２）に変換する。
【００３８】
変換処理部３２５は、入力側画像処理部３２３により変換された（４：２：２）を、たとえばＩＰ変換処理、解像度変換あるいはスケーリング処理等を施した後に、（４：４：４）に変換する。
【００３９】
変換処理部３２５によるＩＰ変換やスケーリング処理および超解像変換では、メモリを介したデータ演算処理量が増加する。そのため、処理を行う前に入力側画像処理部３２３で４：２：２変換しておくことで画像データ量の削減を行い、演算処理量を軽減させる目的がある。しかし後段の出力画像処理部３２７では、ＲＧＢ形式を考慮する必要があるため、上記の変換処理部３２５にて再度４：４：４に戻す必要がある。
【００４０】
ＩＰ変換処理は、１０８０ｉと称されるインタレース信号から１０８０ｐと称されるプログレッシブ（ノンインターレース）信号への変換である。
【００４１】
解像度変換（超解像処理）は、レコーダ装置１０１の変換処理部１４５と同様、例えば複数の中解像度フレームのそれぞれに対してフレーム中の注目画素を含む注目画像領域中の画素値の変化パターンに最も近い複数の注目画像領域に対応する複数の対応点を基準フレームの中から選択し、対応点での輝度の標本値を対応点に対応している注目画素の画素値に設定し、複数の標本値の大きさと複数の対応点の配置とに基づいて、基準フレームの画素数よりも多い画素数の高解像度フレームであって基準フレームに対応する高解像度フレームの画素値を算出することにより、低解像度の画像信号から本来の画素値を推定して画素を増やす画像処理である。なお、超解像処理としては、例えば同一フレーム画像内の自己合同位置探索を利用して、中解像度フレームの探索領域の各画素の誤差を比較して最小となる第１の画素位置を算出し、第１の画素位置、及びこの第１の誤差、並びに第１の画素の周辺の第２の画素位置、及びこの第２の誤差に基づいて、探索領域のなかで誤差が最小となる位置を小数精度で算出し、この位置を終点、及び注目画素を始点とする小数精度ベクトルを算出し、この小数精度ベクトルを用いて、探索領域に含まれない画面上の画素を終点とする小数精度ベクトルの外挿ベクトルを算出し、小数精度ベクトル、外挿ベクトル、及び画像信号から取得された画素値に基づいて、画像信号に含まれる画素数よりも多い画素数の高解像度画像の画素値を算出することも可能である。
【００４２】
また、スケーリング処理は、入力映像（第１の記録再生モジュール１２１または第２の記録再生モジュール１３１からの出力）である１４４０画素×１０８０画素（地上デジタル放送の映像）や７２０画素×４８０画素（ＤＶＤ規格の映像）を、表示装置の表示能力（最大で、現行は１９２０画素×１０８０画素）にあわせる処理を示す。
【００４３】
図２に、図１が示すレコーダ装置とテレビ装置とを、ＨＤＭＩ（−ＣＥＣ）ケーブルにより接続した場合において、両者が同一ベンダー（Vendor）に対応する場合の変換処理を説明する。なお、ベンダーは、供給元及び提携された関連のあるもしくは仕様の統一や関連づけが約束されている製造元内で利用可能な、ＨＤＭＩ−ＣＥＣ規格で規定されているベンダーコマンド（Vendor Specific Commands）を含み、装置の製造元が用意する固有の情報、例えばモデル名、内装するアプリケーションのバージョン情報等をソース機器（レコーダ装置）がシンク機器（テレビ装置）のＥＤＩＤ（Extended Display Identification Data）を読取ることにより、取得できる。
【００４４】
図１に示した通り、ＨＤＭＩケーブル２０１により接続するレコーダ装置１０１及びテレビ装置３０１は、通常、実質的に同一の機能を有する変換処理部１４５（レコーダ装置１０１側）及び変換処理部３２５（テレビ装置３０１側）を、それぞれ含む。
【００４５】
従って、色差コンポーネント信号ＹＣｂ（Ｐｂ）Ｃｒ（Ｐｒ）信号について、入力された４：２：２信号から４：４：４信号への変換と４：４：４信号から４：２：２信号への変換が、重複することになる。さらには、前段の装置（レコーダ装置）１０１による処理と後段の装置（テレビ装置）３０１による処理が重複てしまう。その結果、画像演算処理に、補正等が不所望に強調されることがある。また、これらの変換処理は画像データへの演算処理が行われるため、演算結果の小数点以下の数値は切り捨てられてしまう。これは色信号の微小信号レベルの劣化を意味しており、そのため上述のような前段の装置（レコーダ装置）１０１による圧縮処理（一定条件の変換処理）時に画像情報の一部が失われた場合、後段の装置（テレビ装置）３０１における伸張処理（一定条件の変換処理）によって復元することは、困難であるため不必要な変換処理は行わない事が望ましい。
【００４６】
実際には、図３に示すが、４：２：２信号から４：４：４信号へのクロマフォーマットの変換（レコーダ装置１０１の変換処理部１４５）において、ＣｂデータとＣｒデータの変換に際し、元データ［Ｃｂ０］は周辺のＣｂデータを参照して新たに［Ｃｂ０’］と［Ｃｂ０”］に変換される。同様に、［Ｃｂ２］は［Ｃｂ２’］と［Ｃｂ２”］に、［Ｃｂ４］は［Ｃｂ４’］と［Ｃｂ４”］に、それぞれ、変換される。なお、元データ［Ｃｒ０］についても同様に、周辺のＣｒデータを参照して新たに［Ｃｒ０’］と［Ｃｒ０”］に変換され、［Ｃｒ２］及び［Ｃｒ４］についても、［Ｃｒ２’］と［Ｃｒ２”］及び［Ｃｒ４’］と［Ｃｒ４”］に、それぞれ、変換される。
【００４７】
従って、４：４：４信号から４：２：２信号へのクロマフォーマットの変換（テレビ装置３０１の変換処理部３２５）において、ＣｂデータとＣｒデータの変換に際し、周辺の色データを参照して演算処理されることで最終的に、元データ［Ｃｂ０］は、元データとは異なる［Ｃｂ０’’’ ］に変換される。同様に、［Ｃｂ２］、［Ｃｂ４］、［Ｃｒ０］〜［Ｃｒ４］についても、それぞれ［Ｃｂ２’’’ ］、［Ｃｂ４’’’ ］、［Ｃｒ０’’’ ］、［Ｃｒ２’’’ ］及び［Ｃｒ４’’’ ］に変換される。このことは、伸張時の間引き処理や縮小時の圧縮処理の結果、元データの一部が失われ、（元データとは異なる）色情報の劣化を伴う異なる。
【００４８】
これに対し、図２が示すように、ＨＤＭＩ（−ＣＥＣ）ケーブルにより接続したテレビ装置とレコーダ装置とがＨＤＭＩ−ＣＥＣラインを通じたＥＤＩＤの読み取り（ソース機器であるレコーダ装置によるシンク機器であるテレビ装置の特性を取得）の結果、同一ベンダー内の機器であることが特定できた場合、４：２：２信号から４：４：４信号へのクロマフォーマットの変換（レコーダ装置１０１の変換処理部１４５）において、ＣｂデータとＣｒデータの水平方向のデータの変換に際し、元データ［Ｃｂ０］については、［Ｃｂ０］をそのまま２回供給（２度振り）する。
【００４９】
同様に、［Ｃｂ２］、［Ｃｂ４］については、それぞれ［Ｃｂ２］、［Ｃｂ４］を、それぞれ、２回供給する（元データの色データの重心補正を行わない）。すなわち、４：２：２信号から４：４：４信号を、同一のデータを２回供給する変換として対応する。なお、元データ［Ｃｒ０］についても同様に、［Ｃｒ０］を２回、［Ｃｒ２］及び［Ｃｒ４］についても、［Ｃｒ２］及び［Ｃｒ４］を、それぞれ、２回供給する。
【００５０】
また、４：４：４信号から４：２：２信号へのクロマフォーマットの変換（テレビ装置３０１の変換処理部３２５）において、最終的に、単純に、２つの［Ｃｂ０］の一方を取得し、他の一方を（単純）間引きすることで、元データ［Ｃｒ０］は、［Ｃｂ０］のまま、後段の出力設定部３２７に出力されることで色情報が劣化することを抑止できる。なお、［Ｃｂ２］、［Ｃｂ４］、［Ｃｒ０］〜［Ｃｒ４］についても、同様であることは、言うまでもない。また、最終的に、２つの［Ｃｂ０］の一方を取得（他の一方を間引き）する場合、例えば先頭のデータを採用し、後続（２つめ）のデータを間引くことが一般的であるが、ソフトウエア処理により、例えば先頭のデータが読取れない場合に、後続のデータを採用する、等の応用が可能である。
【００５１】
このように、ＨＤＭＩインタフェースのＥＤＩＤ機能を用いて、ソース機器（レコーダ装置）がシンク機器（テレビ装置）の仕様（ベンダー）を取得し、同一ベンダー内の装置であることを把握（検出）でき、且つＣＥＣ相互通信にて本機能をサポート可能な機器であることを把握（検出）できた場合に、４：２：２信号から４：４：４信号へのクロマフォーマットの変換時に、元データをそのまま２回供給する２度振りを行うことで、映像を再生する側（テレビ装置）においても単純間引き処理をおこない、色情報の劣化が生じることを抑止できる。
【００５２】
図４に、図１に示したＨＤＭＩケーブルにより接続したレコーダ装置とテレビ装置との間のベンダーの検出について、説明する。
【００５３】
電源がオンされることで、レコーダ装置（ソース機器）１０１が、ＨＤＭＩケーブル２０１によりシンク機器（テレビ装置３０１）と接続されたことを検出する（ＨＰＤ（Hot Plug Detected））［０１］。
【００５４】
レコーダ装置１０１は、ＨＤＭＩケーブル２０１を通じ、テレビ装置３０１のＥＤＩＤを読み込み、（テレビ装置３０１が）同一ベンダー内の装置であることを取得する。更にＣＥＣ相互通信をおこなうことで、本機能をサポート可能な機器であることを把握（検出）する［０２］。
【００５５】
レコーダ装置１０１は、変換処理部１４５（信号処理モジュール１４１）における４：２：２を４：４：４に変換する変換処理において、２度振り（同一元データを２回入力する）を行う［０３］。
【００５６】
図５に、図４に示したシーケンスを、ソフトウエア的に示す。
【００５７】
レコーダ装置（ソース機器）１０１において、テレビ装置３０１がＨＤＭＩ（−ＣＥＣ）ケーブル２０１により接続されていることを検出する［１１］。
【００５８】
レコーダ装置（ソース機器）１０１は、テレビ装置３０１のＥＤＩＤを、ＨＤＭＩ（−ＣＥＣ）ケーブル２０１により取得する［１２］。
【００５９】
取得したＥＤＩＤから、（テレビ装置３０１が）同一ベンダーに属することを検出する。更にＣＥＣ相互通信をおこなうことで、本機能をサポート可能な機器であることを把握（検出）する［１３］。
【００６０】
テレビ装置３０１が同一ベンダーに属することを検出した場合［１３−ＹＥＳ］、（レコーダ装置１０１は、）変換処理部１４５（信号処理モジュール１４１）における４：２：２を４：４：４に変換する変換処理において、２度振り（同一元データを２回入力する）を行う。またテレビ装置３０１では入力画像処理部３２３の４：４：４を４：２：２に変換する変換処理において、単純な間引き処理を行う［１４］。なお、テレビ装置３０１が同一ベンダーに属さない場合［１３−ＮＯ］、通常の変換処理が行われる［１５］。
【００６１】
すなわち、図４あるいは図５に示したシーケンス／ルーチンに従い、シンク機器（テレビ装置）が同一ベンダーに属することをレコーダ装置（ソース機器）において検出できた場合、変換処理部１４５（信号処理モジュール１４１）における４：２：２を４：４：４に変換する色差コンポーネント信号の変換処理において、２度振り（同一元データを２回入力する）を行うことで、例えば複数タップを用いる伸張処理により、元の色データの水平方向の重心が補正される（演算により微小データが失われる）ことを抑止でき、シンク機器（テレビ装置）において色情報が変化（劣化）することを避けることができる。
【００６２】
図６は、図１に示したＨＤＭＩケーブルにより接続するソース機器（レコーダ装置）として利用可能な記録再生装置の構成の一例を示す。
【００６３】
レコーダ（記録再生装置）６０１は、チューナ６０２、入力回路６０３、ＤＳＰ（デジタルシグナルプロセッサ）６０４、記録装置６０５、出力回路６０６、ユーザ操作入力部（リモコン信号受信回路）６０７、電源部６０８、及びＨＤＭＩ処理部６０９（図１に示したＨＤＭＩインタフェース部１１１に相当）と接続するポート６８１を少なくとも含む。
【００６４】
チューナ６０２は、アンテナ端子６２１に接続されるアンテナまたは光ケーブル等を介して、録画対象の番組を放送するチャンネルを選局する。
【００６５】
入力端子６０３は、ビデオ（Viedo）入力端６３１およびオーディオ（Audio）入力端６３２を経由して入力されるビデオ（動画）信号およびオーディオ（音声）信号を、受けつける。
【００６６】
ＤＳＰ（シグナルプロセッサ）６０４は、主制御装置（ＣＰＵ）６４０、ネットワークコントローラ６４１、アナログ−デジタルコンバータ（ＡＤＣ）６４２、エンコーダ６４３、インタフェース６４４、デコーダ６４５、ユーザインタフェースグラフィック処理部（ＧＵＩ処理部）６４６、ビデオエンコーダ（ビデオ出力処理部）６４７、デジタル−アナログコンバータ（オーディオデコーダ（ＤＡＣ））６４８、ＥＰＧ（Electric Program Guide）処理部６４９等の要素を、少なくとも含む。なお、ＤＳＰ（シグナルプロセッサ）６０４が図１に示す信号処理モジュール１４１に相当し、第１または第２の記録再生モジュール１２１、１３１から入力される画像データ４：２：２を、所定の画像処理を実行し、再び４：４：４に変換して、出力回路６０６に出力する。
【００６７】
主制御装置（ＣＰＵ）６４０は、上述した各要素の動作、および電源部６０８の主電源（内部制御用２次回路を除く）のオン／オフを制御する。
【００６８】
ネットワークコントローラ６４１は、ＬＡＮ端子６９１を経由して、外部ネットワークから供給されるストリーム形式の番組を受信する。なお、ＬＡＮ端子６９１は、例えば同一建物内に構築される比較的小規模のネットワーク（家庭内ＬＡＮ（Local Area Network））もしくはホームサーバ（Home Saver，大容量記録装置）および接続網と接続され、例えばホームサーバを介して、外部ネットワークと接続されることもある。また、家庭内ＬＡＮあるいはネットワークは、ＤＬＮＡ（Digital Living Network Alliance（登録商標））規格に準拠することが好ましい。
【００６９】
アナログ−デジタルコンバータ（ＡＤＣ）６４２、アナログ入力されたビデオ信号およびオーディオ信号をデジタル信号に変換し、エンコーダ６４３に入力する。なお、チューナ６０２がデジタル放送を受信する場合には、チューナ６０２の出力は、そのままエンコーダ６４３に入力されることはいうまでもない。
【００７０】
エンコーダ６４３は、入力されたアナログ信号（ビデオ／オーディオ）をデジタル信号に変換（エンコード）する。なお、例えばＭＰＥＧ（Moving Picture Experts Group）−２あるいはＭＰＥＧ−４（Ｈ．２６４−ＡＶＣ））等に準拠した圧縮を伴う。
【００７１】
インタフェース６４４は、記録装置５との間のデータの受け渡し、あるいはリモコン信号受光回路６０７からの制御信号の入力に利用される。ＨＤＭＩ処理部６０９には、ＨＤＭＩ端子６８１を介して、例えば図７（図１）に一例を示すテレビ装置（映像再生装置）３０１、もしくはハブが接続される。なお、ハブには、例えばＨＤＭＩ端子を備えたＡＶアンプや、ＰＣ、ＨＤＤ内蔵のＤＶＤレコーダ、ＤＶＤプレーヤ等の外部機器が接続可能である。なお、ＨＤＭＩ端子６８１がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。なお、インタフェース６４４に、上述のＨＤＭＩ処理部６０９が接続されるが、ＨＤＭＩ処理部６０９は、ネットワークコントローラ６４１に接続されてもよい。
【００７２】
デコーダ６４５は、ＭＰＥＧ−２あるいはＭＰＥＧ−４（Ｈ．２６４−ＡＶＣ））等に圧縮された番組を、デコードする。
【００７３】
ユーザインタフェースグラフィック処理部（ＧＵＩ処理部）６４６は、出力回路６０６を経由して映像出力端６６１とオーディオ出力端６６２に接続されるモニタ装置６６３に表示させるＧＵＩ（グラフィックインタフェース）画面表示を出力する。
【００７４】
ビデオエンコーダ（ビデオ出力処理部）６４７は、映像信号とＧＵＩ処理部６４６から出力されるＧＵＩ画面表示を必要に応じ合成し、映像出力端６６１に接続されるモニタ装置６６３が表示可能に、出力回路６０６に、出力映像信号を生成する。
【００７５】
デジタル−アナログコンバータ（オーディオデコーダ（ＤＡＣ））６４８は、出力回路６０６に、オーディオ出力端６６２に接続される外部スピーカ等が再生可能に、オーディオ信号を出力する。
【００７６】
ＥＰＧ処理部６４９は、例えばＢＳデジタル放送または地上デジタル放送において番組とともに送信されるＥＰＧデータもしくはＬＡＮ端子６９１を経由して外部から取得可能なＥＰＧデータを取得し、例えばＧＵＩ処理部６４６において番組の予約時に番組表を表示させるための日付、時間、チャンネル、番組長データとして保持する。なお、取得したＥＰＧデータは、図示しないメモリ装置あるいはＨＤＤ６５１の所定の領域に保存される。
【００７７】
記録装置６０５は、例えばＨＤＤ６５１またはディスクドライブ装置６５２を含み、ＨＤＤ６５１内のＨＤあるいはディスクドライブ装置６５２にセットされるＤＶＤ規格の光ディスクＤに対して番組を記録し、もしくは既に記録されている番組を再生する。なお、ディスクドライブ装置６５２に加え、例えば半導体メモリ（メモリカード）等に番組を記録し、あるいは既に記録されている番組を再生するリーダ／ライタ（図示しない）が用意されてもよい。
【００７８】
出力回路６０６は、映像出力端６６１およびオーディオ出力端６６２に接続される再生装置、例えばモニタ装置とスピーカ装置に、ビデオエンコーダ６４７からの映像信号とＤＡＣ６４８からのオーディオ信号を出力する。
【００７９】
リモコン信号受光回路６０７は、リモコン受光部６７１において受け付けたユーザ操作入力を、インタフェース６４４を経由して、主制御装置６４０に入力する。
【００８０】
電源部６０８は、主制御装置６４０の制御により主電源がオフ可能であり、図示しないタイマ部にセットされた予約時間が到来した時点で主電源をオンし、上述した各要素の動作を、動作可能状態に維持する。
【００８１】
図７は、図１に示したＨＤＭＩケーブルにより接続するシンク機器（テレビ装置）として利用可能な映像再生装置の構成の一例を示す。
【００８２】
テレビ受信装置７１１は、映像信号（ビデオデータ）に対応する映像を表示する映像表示器７１３、例えばスピーカ等に代表される音声再生装置であって、音声出力（オーディオデータ）を再生する音声再生器７１５、ユーザからの制御指示（制御入力）信号を受け入れる操作部７１７、ユーザからのリモコン装置Ｒによる操作情報（制御入力）信号を受けつけるリモコン受信部７１９、および制御ブロック（制御部）７６０等を含む。なお、映像表示器（ディスプレイ装置）７１３は、例えば液晶パネル装置であって、付属する照明装置７２５からの照明光（バックライト）を選択的に透過することにより、映像を表示する。また、照明装置７２５は、点灯回路７２７により、周囲の明るさや、連続して点灯されている時間と非点灯時間との差すなわち照明装置７２５の温度に基づいて規定される所定の駆動電圧で点灯される。
【００８３】
制御部７６０は、ＣＰＵまたはＭＰＵ（Main Processing Unit）とよばれる主制御装置（主制御用大規模ＩＣ（ＬＳＩ））７６１を、含む。
【００８４】
制御部７６０（主制御装置７６１）は、操作部７１７からの操作入力、またはリモコン装置Ｒから送出された操作情報を受信部７１９により受信した（リモコン入力）制御信号、もしくはネットワーク接続部（通信インタフェース）７７３を介して外部から供給される情報およびデータに対応して、以下に説明する各部（要素）を、制御する。
【００８５】
制御部７６０はまた、主制御装置７６１が実行する制御プログラムを保持したＲＯＭ（Read Only Memory）７６２、主制御装置７６１の作業エリアを提供するＲＡＭ（Random Access Memory）７６３、各種の設定情報や制御情報ならびに上述のＨＤＭＩ接続において変更された入力切換連携仕様、あるいはネットワーク接続部７７３を介して外部から供給される情報および録画予約情報などのデータ等を保持する不揮発性メモリ（Non Volatility Memory，ＮＶＭ）７６４、およびＨＤＤ７６５を、含む。
【００８６】
なお、ＮＶＭ７６４は、ネットワーク接続部７７３を経由して取り込まれ、制御部７６０を経由してメッセージや解読されたスケジュール情報等も保持する。
【００８７】
制御部７６０には、半導体メモリであるカード状媒体（メモリカード）Ｍからの情報の読み出しとメモリカードＭへの情報の書き込みを可能とするカード＿ＩＦ７７１、ネットワーク接続部（通信＿ＩＦ）７７３、ＨＤＭＩ処理部７７４（図１に示したＨＤＭＩインタフェース部１５１に相当）と接続するポート７８２、光ディスクＤからの情報すなわち動画データやオーディオ（音声）データの読み出しと光ディスクへの情報の書き込みに用いられるディスクドライブ装置７７５、ＵＳＢ＿Ｉ／Ｆ（インタフェース）、およびｉ．Ｌｉｎｋ＿Ｉ／Ｆ（インタフェース）７７７等の任意数のＩ／Ｆ（インタフェース）群が接続され、それぞれのインタフェースに適合する外部装置、あるいはハブ（拡張装置）もしくはネットワーク制御装置として機能する。
【００８８】
カード＿Ｉ／Ｆ７７１は、カードホルダ７７２に装着されるメモリカードＭから、映像および音声ファイルを読み込むことができ、また、メモリカードＭに、映像および音声ファイルを書き込むことができる。
【００８９】
通信＿Ｉ／Ｆ７７３は、ＬＡＮ端子（ポート）７８１と接続され、イーサネット規格に従い、外部装置、例えば図示しないが携帯端末装置やモバイルＰＣを介して、あるいはリモコン装置から供給される制御情報や動画データを受け入れる。なお、通信＿Ｉ／Ｆ７７３は、ＬＡＮ対応のハブ（Hub）が接続されることで、ＬＡＮ対応のＨＤＤ（ＮＡＳ（Network Attached Storage）ＨＤＤ）、ＰＣ、ＨＤＤ内蔵のＤＶＤレコーダ等の機器の接続が可能である。
【００９０】
ＨＤＭＩ処理部７７４には、ＨＤＭＩ端子７８２を介して、例えば図６（図１）に一例を示したレコーダ（記録再生装置）１０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内蔵のＤＶＤレコーダ、ＤＶＤプレーヤ等の外部機器が接続可能である。なお、ＨＤＭＩ端子７８２がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００９１】
ディスクドライブ装置７７５は、例えばＤＶＤ規格の光ディスクＭから情報すなわち動画データやオーディオ（音声）データを読み出し、もしくは記録する。また、セットされた光ディスクがＣＤ規格である場合には、オーディオ（音声）データを読み出し、再生するとともに、例えば曲名や演奏時間等を、映像表示器７１３に表示可能に出力する。
【００９２】
ＵＳＢ＿Ｉ／Ｆ７７６は、ＵＳＢポート７８４に接続される図示しないハブを介して、ＵＳＢ＿Ｉ／Ｆを介してアクセス可能に形成されたＨＤＤ、キーボード等が接続可能であり、それぞれのＵＳＢ機器との間で情報の受け渡しが可能である。なお、ＵＳＢ＿Ｉ／Ｆ７７６に対応する携帯電話、デジタルカメラ、メモリカードに対するカードリーダ／ライタも接続可能であることはいうまでもない。
【００９３】
ｉ．Ｌｉｎｋ＿Ｉ／Ｆ７７７は、図示しないが、例えばＡＶ（オーディオ−ビジュアル）−ＨＤＤあるいはＤ（Digital）−ＶＨＳ（Video Home System）等の外部機器、もしくは、外付けのチューナあるいはＳＴＰ（Set Top Box（ケーブルテレビ用受信機））等がシリアル接続可能であり、接続される任意の機器との間で、情報の受け渡しが可能である。
【００９４】
なお、詳述しないが、個々のインタフェースに加えて、もしくは任意の１または複数のインタフェースに代えて、例えばＤＬＮＡ（登録商標））規格等に準拠したネットワークコントローラや、図示しないBluetooth（登録商標）／（ブルートゥース（登録商標））が用意され、それらを経由して、データの受け渡しが可能なレコーダ装置やＨＤＤ装置、もしくは携帯可能な端末装置が接続されてもよいことはいうまでもない。
【００９５】
制御部７６０は、タイマーコントローラ（時計部）７９０を含む。時計部９０は、時刻や、ユーザからの入力により設定される予約録画のための予約時刻（日時）と録画対象チャンネル等の情報を管理するとともに、その情報を保持可能である。なお、時計部７９０は、地上波デジタルチューナ７５０を介して受信するデジタル放送におけるＴＯＴ（Time Offset Table）と呼ばれる「時刻情報」を、常時取得できる。すなわち、電波時計を内蔵している機器と同等の時刻管理が可能である。また、地上波アナログチューナ７５２により受信するアナログアナログ放送の所定のチャンネルからも、毎日、所定の時間に時報を取得可能であることはいうまでもない。また、時計部７９０は、携帯端末装置から供給されるスケジューラ機能やメッセンジャ機能のための情報に対する計時部としても機能する。なお、時計部７９０は、スケジューラ機能およびメッセンジャ機能により規定される所定の時刻において、電源部７９１による、商用電源に対する電源のオン／オフ（通電）を制御できることはいうまでもない。すなわち、コンセントが抜かれている等の物理的に通電が困難な状況下以外においては、映像表示器７１３や信号処理部７４７あるいはＨＤＤ等の電力消費の比較的大きな要素を除く、制御部７６０等への２次電源（ＤＣ（直流）３１Ｖ、あるいは２４Ｖもしくは５Ｖ等）は、通常確保されており、予め規定された時刻に映像表示器７１３や信号処理部７４７あるいはＨＤＤ７６５等が起動されることは、いうまでもない。
【００９６】
なお、信号処理部７４７が図１に示す信号処理モジュール３２１に相当し、入力画像データ４：４：４を４：２：２に変換し、所定の画像処理を実行し、再び４：４：４に変換して、映像表示器７１３（前段のグラフィック処理部７５４）に出力する。
【００９７】
以上説明したように、実施形態を適用することで、前段の装置による一定条件の変換処理時と後段の装置における一定条件の変換処理によって画質への影響が生じることが防止でき、色再現性の良好な画像出力が得られる。
【００９８】
また、画像変換の精度が向上し、色情報に損失が生じることが防止される。
【００９９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１００】
１０１…記録再生装置（レコーダ装置／ソース機器）、１４１…信号処理モジュール、１４３…入力側画像処理部、１４５…変換処理部、１４７…出力側画像処理部、２０１…双方向通信インタフェース（ＨＤＭＩ−ＣＥＣ）ケーブル、３０１…映像表示装置（テレビ装置／シンク機器）、３２１…信号処理モジュール、３２３…入力側画像処理部、３２５…変換処理部、３２７…出力側画像処理部。
【図１】
2013051586.tif 000003
【図２】
2013051586.tif 000004
【図３】
2013051586.tif 000005
【図４】
2013051586.tif 000006
【図５】
2013051586.tif 000007
【図６】
2013051586.tif 000008
【図７】
2013051586.tif 000009